(57)【要約】      （修正有）【課題】改良されたスクリューチャネル誘導デバイスを提供する。【解決手段】歯科用スーパーストラクチャ用のスクリューチャネル誘導デバイス５０が、スクリューチャネル部５１とインプラント協働部５２Ａ、５２Ｂとを備え、近位端にねじ穴を有するスクリュー部材シート５４を有する。インプラント協働部は、歯科用インプラント６０に接続されるカラー形の下側インプラント協働部５２Ａと、カラー形の上側インプラント協働部５２Ｂとを備える。下側インプラント協働部は遠位凹形シート５８を有し、上側インプラント協働部は、第１の玉継手５７、５８を形成するように下側インプラント協働部の凹形シートの半径に対応する半径を有する近位凸形底面５７を有する。上側インプラント協働部は、第２の玉継手５５、５６を形成するようにスクリューチャネル部の外側底面５５の半径に対応する半径を有する遠位凹形シート５６を有する。【選択図】図５
2014014681.tif 000002
【特許請求の範囲】
【請求項１】
歯科用スーパーストラクチャ用のスクリューチャネル誘導デバイス（５０）であって、
スクリューチャネル部（５１）とインプラント協働部（５２Ａ、５２Ｂ）とを備え、
前記スクリューチャネル部が、近位端にねじ穴を有するスクリュー部材シート（５４）を備え、
前記スクリューチャネル部（５１）の近位端は、内側底面が凹形状を有し、その外側底面（５５）が凸形状を有するようにすり鉢形であり、
前記スクリュー部材シート（５４）の前記ねじ穴が長孔であり、
前記インプラント協働部（５２Ａ、５２Ｂ）が、歯科用インプラント（６０）に接続されるカラー形の下側インプラント協働部（５２Ａ）と、カラー形の上側インプラント協働部（５２Ｂ）とを備え、
前記下側インプラント協働部（５２Ａ）が遠位凹形シート（５８）を有し、
前記上側インプラント協働部（５２Ｂ）が、第１の玉継手（５７、５８）を形成するように前記下側インプラント協働部（５２Ａ）の凹形シート（５８）の半径に対応する半径を有する近位凸形底面（５７）を有し、
前記上側インプラント協働部（５２Ｂ）が、第２の玉継手（５５、５６）を形成するように前記スクリューチャネル部（５１）の外側底面（５５）の半径に対応する半径を有する遠位凹形シート（５６）を有し、
前記２つの玉継手が、前記スクリューチャネル部（５１）を、前記下側インプラント協働部（５２Ａ）の中心軸に対して傾斜させ／角度付け、横に移すことができる効果を有する、スクリューチャネル誘導デバイス。
【請求項２】
前記２つの玉継手（５５、５６；５７、５８）が、異なる半径を有する、請求項１に記載のスクリューチャネル誘導デバイス（５０）。
【請求項３】
前記第１の玉継手（５７、５８）が前記第２の玉継手（５５、５６）より小さい半径を有する、請求項２に記載のスクリューチャネル誘導デバイス（５０）。
【請求項４】
前記下側インプラント協働部（５２Ａ）が、外部裁頭円錐形を有し、前記歯科用インプラント（６０）の上端内のキャビティ（６３）の先細り部分（６４）内に嵌合する、請求項１に記載のスクリューチャネル誘導デバイス（５０）。
【請求項５】
前記歯科用インプラント（６０）が、前記キャビティ（６３）と関連するめねじ（６１）を備え、
前記ねじ（６１）が、前記スクリューチャネル部（５１）、前記上側インプラント協働部（５２Ｂ）、および前記下側インプラント協働部（５２Ａ）を通って挿入されるようにスクリュー部材（６２）と協働するように構成されている、請求項４に記載のスクリューチャネル誘導デバイス（５０）。
【請求項６】
少なくとも前記スクリューチャネル部（５１）が、プラスチック材料のものである、請求項１〜５のいずれかに記載のスクリューチャネル誘導デバイス（５０）。
【請求項７】
少なくとも前記スクリューチャネル部（５１）が、金属のものである、請求項１〜５のいずれかに記載のスクリューチャネル誘導デバイス（５０）。
【請求項８】
歯科用スーパーストラクチャまたはその一部を製造するための製造方法（３０）であって、
（ｉ）対象の口から歯科用インプリントを製作するステップ（３１）と、
（ｉｉ）作業用モデルを得るために前記インプリント内にアナログを装着するステップ（３２）と、
（ｉｉｉ）スクリューチャネル部（５１）と、下側インプラント協働部（５２Ａ）および上側インプラント協働部（５２Ｂ）を備えるインプラント協働部とを備えるスクリューチャネル誘導デバイス（５０）を、前記作業用モデルに取り付けるステップであって、前記スクリューチャネル部（５１）が、前記インプラント協働部（５２Ａ、５２Ｂ）に対して傾斜可能である、ステップと、
（ｉｖ）前記スクリューチャネル部（５１）を、前記インプラント協働部（５２Ａ、５２Ｂ）に対して所望の角度に傾斜するステップ（３４）と、
（ｖ）前記スクリューチャネル誘導デバイス（５０）上にマスタースーパーストラクチャまたはその一部を生み出す型を形作るステップと、
（ｖｉ）前記マスタースーパーストラクチャまたはその一部に基づいて型を形成するステップ（３７）と、
（ｖｉｉ）前記歯科用スーパーストラクチャまたはその一部を鋳造（３８）またはＣＡＤ／ＣＡＭ成形するステップと
を含む製造方法。
【請求項９】
ステップ（ｖｉｉ）が鋳造（３８）であり、
（ｖｉｉｉ）ステップ（ｖ）とステップ（ｖｉ）の間で前記スクリューチャネル誘導デバイス（５０）を前記マスタースーパーストラクチャから除去するステップと、
（ｉｘ）ステップ（ｖ）において、前記スクリューチャネル誘導デバイス（５０）によって形成されたキャビティの形状に対応するスクリューチャネル誘導デバイス（５０）を挿入するステップ（４２）と、
（ｘ）ステップ（ｉｘ）で挿入された前記スクリューチャネル誘導デバイス（５０）を、溶接、接着、またははんだ付けによって取り付けるステップと
をさらに含む、請求項８に記載の製造方法。
【請求項１０】
前記スクリューチャネル誘導デバイス（５０）またはその前記スクリューチャネル部（５１）が、ステップ（ｖｉ）またはステップ（ｖｉｉ）中に溶融される、請求項８に記載の製造方法。
【発明の詳細な説明】
【技術分野】
【０００１】
本発明は、歯科用インプラントおよび歯科用支台に取り付けるための歯科用スーパーストラクチャ用のスクリューチャネル誘導デバイスに関する。また、本発明は、そのような歯科用スーパーストラクチャを歯科用インプラントまたは歯科用支台にねじ固定するための角度付きのスクリューチャネルと共に鋳造またはＣＡＤ／ＣＡＭ加工／焼結により前記スーパーストラクチャを製造するための方法に関する。
【背景技術】
【０００２】
歯科用補綴物を患者の顎に固定するとき、スーパーストラクチャをオッセオインテグレーテッド歯科用インプラントに取り付けることが一般に知られている。しかし、歯科用インプラントの位置および角度は、患者ごとに非常にまちまちであるため、角度付きのディスタンスの使用が一般的である。これらのディスタンスは、歯科用インプラント上に配置される。スーパーストラクチャをそのようなディスタンスにねじ固定するのは困難であるため、スーパーストラクチャは、大抵、ディスタンスにセメント接合される。しかし、別個のディスタンスを使用するとき、これらのディスタンスは、歯科用インプラントの軸方向に−少なくともある程度−延在することになることが避けられない。したがって、しばしば、スーパーストラクチャをそのようなディスタンスに適用することは、非常に困難、さらには不可能である。なぜなら、スーパーストラクチャの適用には、ディスタンスを実質的に平行に配置することが必要となるからである。また、そのようなディスタンスを使用するときの装着プロセスは、必要とされる一致を見出すために非常に多数の様々なディスタンスをインプラント上でテストしなければならないため、非常に複雑かつ厄介なものである。また、ディスタンスとスーパーストラクチャの間の界面は不衛生である。
【０００３】
ねじ固定式スーパーストラクチャ内のスクリューチャネル口の所望の位置をモデル化するために、対象の顎のモデル上でアクリルチューブを位置決めすることが知られている。このモデルは、オッセオインテグレーテッド歯科用インプラントの位置を示す。アクリルチューブがこれらの位置に配置され、所望の湾曲に曲げられてから、曲げられたアクリルチューブに基づいて型が形成される。その後、別個のシートサポートシリンダが、鋳造済みスーパーストラクチャと共に平坦化され、そして、別個のスクリュー部材シートサポートシリンダが、鋳造済みスーパーストラクチャ上に溶接される。
【０００４】
しかし、アクリルチューブを正しく曲げることは困難となり得る。チューブを所望の湾曲形状に曲げることは面倒な作業である。チューブは、曲げた後でたわむことがあり、その結果、型が誤った角度を有するおそれがある。さらに、湾曲形状に従って、曲げられたスクリューチャネルを得ることしかできず、それにより、取付け後のスクリューシートの口の中心軸と、スクリューチャネル口の中心軸との間の角度は、１７度未満の角度に制限される。
【発明の概要】
【発明が解決しようとする課題】
【０００５】
歯科用スーパーストラクチャで使用するためのいくつかのスクリューチャネル誘導デバイスが設計されているが、それらはすべて、ある種の異なる欠点がある。したがって、少なくとも要求の多い使用のために、改良されたスクリューチャネル誘導デバイスが求められている。
【課題を解決するための手段】
【０００６】
上記および他の目的は、本発明により、歯科用スーパーストラクチャ用のスクリューチャネル誘導デバイスによって満たされ、このデバイスは、スクリューチャネル部とインプラント協働部とを備え、前記スクリューチャネル部が、近位端にねじ穴を有するスクリュー部材シートを備え、スクリューチャネル部の近位端は、内側底面が凹形状を有し、その外側底面が凸形状を有するようにすり鉢形であり、スクリュー部材シートのねじ穴が長孔であり、前記インプラント協働部が、歯科用インプラントに接続されるカラー形の下側インプラント協働部と、カラー形の上側インプラント協働部とを備え、前記下側インプラント協働部が遠位凹形シートを有し、前記上側インプラント協働部が、第１の玉継手を形成するように下側インプラント協働部の凹形シートの半径に対応する半径を有する近位凸形底面を有し、前記上側インプラント協働部が、第２の玉継手を形成するようにスクリューチャネル部の外側底面の半径に対応する半径を有する遠位凹形シートを有し、これらの２つの玉継手が、スクリューチャネル部を、下側インプラント協働部の中心軸に対して傾斜させ／角度付け、横に移すことができる効果を有する。
【０００７】
本発明のスクリューチャネル誘導デバイスの他の特徴は、請求項２〜６に記載されている。
【０００８】
また、本発明は、歯科用スーパーストラクチャまたはその一部を製造するための方法に関し、この方法は、
（ｉ）対象の口から歯科用インプリントを製作するステップと、
（ｉｉ）作業用モデルを得るためにインプリント内にアナログを装着するステップと、
（ｉｉｉ）スクリューチャネル部と、下側インプラント協働部および上側インプラント協働部を備えるインプラント協働部とを備えるスクリューチャネル誘導デバイスを、作業用モデルに取り付けるステップであって、前記スクリューチャネル部が、インプラント協働部に対して傾斜可能である、ステップと、
（ｉｖ）スクリューチャネル部を、インプラント協働部に対して所望の角度に傾斜するステップと、
（ｖ）スクリューチャネル誘導デバイス上にマスタースーパーストラクチャまたはその一部を生み出す型を形作るステップと、
（ｖｉ）マスタースーパーストラクチャまたはその一部に基づいて型を形成するステップと、
（ｖｉｉ）歯科用スーパーストラクチャまたはその一部を鋳造またはＣＡＤ／ＣＡＭ成形するステップとを含む。
【図面の簡単な説明】
【０００９】
本発明がとり得るこれらの態様、および他の態様、特徴、および利点は、添付の図面を参照する、本発明の実施形態の以下の説明から、明らかにされ、解明されることになる。
【００１０】
【図１Ａ】一実施形態による傾斜可能なスクリューチャネル誘導デバイスの概略断面図である。
【図１Ｂ】一実施形態による傾斜可能なスクリューチャネル誘導デバイスの概略断面図である。
【図１Ｃ】一実施形態による傾斜可能なスクリューチャネル誘導デバイスの概略断面図である。
【図２Ａ】他の実施形態による傾斜可能なスクリューチャネル誘導デバイスの概略断面図である。
【図２Ｂ】他の実施形態による傾斜可能なスクリューチャネル誘導デバイスの概略断面図である。
【図３】一実施形態による方法のステップを示す流れ図である。
【図４】他の実施形態による方法のステップを示す流れ図である。
【図５】他の実施形態による傾斜可能なスクリューチャネル誘導デバイスの概略断面図である。
【図６Ａ】図５によるデバイスに含まれる一部分の概略断面図である。
【図６Ｂ】図５によるデバイスに含まれる一部分の概略断面図である。
【図６Ｃ】図５によるデバイスに含まれる一部分の概略断面図である。
【発明を実施するための形態】
【００１１】
本発明のいくつかの実施形態について、当業者が本発明を実施することができるように、以下、添付の図面を参照してより詳細に述べる。しかし、本発明は、多数の様々な形態で実施することができるので、本明細書に記載の実施形態に限定されると解釈すべきでない。それどころか、これらの実施形態は、この開示が徹底的かつ完全なものになるように、また本発明の範囲を当業者に十分に伝えるように提供されている。これらの実施形態は、本発明を限定するものではなく、本発明は、添付の特許請求の範囲によってのみ限定される。さらに、添付の図面に示されている特定の実施形態の詳細な説明に使用される用語は、本発明を限定するものではない。
【００１２】
本発明の実施形態は、角度付けの可能性が改善された、また製造が容易な、鋳造された歯科用スーパーストラクチャを作製するための方法に関する。これらの実施形態は、スクリューチャネル誘導デバイスの形態にある角度付きのディスタンスを用いて実現される。このスクリューチャネル誘導デバイスを使用し、鋳造された歯科用スーパーストラクチャ内の角度付きのスクリューチャネルを得て、それによりスクリューチャネル口の中心軸と、対象の顎にオッセオインテグレーテッド歯科用インプラントの中心軸との角度を、従来技術による曲げられたスクリューチャネルを用いた鋳造スーパーストラクチャに比べて増大することができる。
【００１３】
図１による一実施形態では、スクリューチャネル誘導デバイス１０が提供されている。スクリューチャネル誘導デバイス１０は、スクリューチャネル部１１と、インプラント協働部１２とを備える。スクリューチャネル部１１は、遠位端にスクリューチャネル口１３を備える。また、スクリューチャネル部１１は、スクリューチャネルの近位端にスクリュー部材シート１４を備える。スクリューチャネル部１１は、中心軸と、遠位のスクリューチャネル口端部と、近位のスクリュー部材シート端部とを有する実質的に円筒形とすることができる。スクリューチャネルの中心軸は、スクリューチャネル口の中心を通り、スクリュー部材シート１４の口を通る。スクリューチャネル部１１は、スクリューチャネルの中心軸に沿って円形の断面を有することが好ましい。この円形の断面は、遠位端で第１の直径を有することができ、その近位端に向かって、スクリューチャネルの長手方向中心軸に沿って移動すると増大する。近位端では、スクリューチャネル部１１は、内側底面が凹形状を有し、その外側底面１５、すなわちその近位端が凸形状を有するようにすり鉢形である。スクリュー部材シート１４のねじ穴は長孔である。長孔は、引き伸ばされた穴である。
【００１４】
インプラント協働部１２は、その近位端におけるインプラントシート１６と、遠位の凹形スクリューチャネル部シート１７とを備えるカラーである。スクリューチャネル部シート１７は、スクリューチャネル部１１をインプラント協働部１２が配置されるインプラントに対して傾斜させる／角度付けることができるように、スクリューチャネル部１１の外側近位端の半径に対応する半径を有する。インプラント協働部１２の近位端にあるインプラントシート１６は、どの歯科用インプラントが患者の下顎骨内に挿入されるかに応じて様々なインプラント協働部を使用することができるように、市販の様々なインプラントシステムに従って調整することができる。
【００１５】
スクリューチャネル部１１をインプラント協働部１２上で傾斜させる／角度付けるとき、スクリュー部材１８がスクリューチャネル部１１のスクリューチャネル内に挿入される。次いで、インプラント協働部１２がインプラントの遠位にあり、しかしスクリューチャネル部１１の近位にある状態で、スクリューチャネル部１１が、インプラント協働部１２のカラーの管腔を通って歯科用インプラント内に緩くねじ込まれる。この位置で、長孔が所望の位置になる、すなわちその位置で長穴が、スクリューチャネル部１１を角度付け／傾斜させたいと望む平面の方向にあるようにスクリューチャネル部１１を回転させることによって、スクリューチャネル部１１を所望の位置に角度付ける／傾斜させることができる。スクリュー部材シート１４の長穴は、図１Ｂでわかるように、中心軸からスクリューチャネル部１１の周部に向かって延びることができ、図１Ｂは、スクリューチャネル部１１を、作業用モデルに向かって位置決めされることが意図された端部から示す。したがって、インプラント協働部１２が、インプラントアナログを介してモデルに取り付けられ、しかしまだ完全に固定されていないとき、スクリューチャネル部１１を、インプラント協働部１２の凹形のスクリューチャネル部シート１７内で、長穴の延長に沿って摺動することにより、図１Ｃでわかるように、中空のスクリューチャネル部１１をモデルに対して傾斜させることが可能である。
【００１６】
図２には、スクリューチャネル誘導デバイスの他の実施形態が示されている。この実施形態では、スクリューチャネル誘導デバイス２０は、スクリューチャネル部２１と、インプラント協働部２２とを備える。スクリューチャネル部２１は、遠位端にスクリューチャネル口２３を備える。スクリューチャネル部２１は、中心軸と、遠位のスクリューチャネル口端部と、めねじを有する近位のねじ穴２４とを有する、スクリューチャネルの延長に沿って実質的に円筒形とすることができる。スクリューチャネルの中心軸は、スクリューチャネル口２３の中心軸でもある。スクリューチャネル部２１は、スクリューチャネルの中心軸に沿って円形の断面を有することが好ましい。
【００１７】
スクリューチャネル部２１のスクリューチャネルの近位端には、スクリュー部材２５が配置される。スクリュー部材２５は、スクリューチャネル部２１のスクリューチャネルの底部近位端にあるスクリュー部材シートを通って延びる。スクリュー部材２５は、ねじ回し、レンチ、スパナなどねじ込みデバイスと協働するように適合された遠位把持部分２６を有する。近位端には、スクリュー部材は、スクリュー部材ヘッド２７を有する。スクリュー部材ヘッド２７は、下記に従って歯科用インプラントまたはインプラントアナログ内にインプラント協働部２２をねじ込むためにインプラント協働部２２と協働するように適合された、周囲輪郭の形態にあるヘッド構成を有する。スクリュー部材シートの近位で、スクリューチャネル部２１は、インプラント協働部２２と協働するように、凹形の相互作用表面２８を備える。
【００１８】
一実施形態では、スクリュー部材２５は、把持部分の近位に、右ねじ部を有する。この右ねじ部を使用し、遠位の把持部分を右回りに回転させることにより、スクリュー部材を遠位でねじ込み、インプラント協働部２２を歯科用インプラントまたはインプラントアナログに固定することができる。
【００１９】
他の実施形態では、スクリュー部材２５が、遠位ねじ山部分および近位ねじ山部分の形態で、遠位把持部分の近位に２つのねじ山部分を備える。遠位ねじ山部分は右ねじ型であり、一方、近位ねじ山部分は左ねじ型であることが好ましい。次いで、スクリュー部材ヘッド２７が、近位の左ねじを介してスクリュー部材２５に取り付けられる。スクリュー部材ヘッド２７が左ねじ山を介してスクリュー部材２５に接続されるとき、スクリュー部材ヘッド２７は、下記に従って、スクリュー部材が底部位置になった後で、すなわち、インプラント協働部２２と底部で協働する際、またはインプラント協働部２２とスクリューチャネル部２１が互いに押し付けられるとき、把持部分２６を左回りに回転させることによって、スクリュー部材２５からねじ的に分離することができる。これは、スクリューチャネル部２１が、スーパーストラクチャに、溶接、鋳造、またははんだ付けなど固定されたとき、スクリューチャネル部２１とインプラント協働部２２の分離を可能にするという技術的効果をもたらす。
【００２０】
インプラント協働部２２は、インプラント協働部２２を歯科用インプラントに固定するのに適した、おねじを有するねじ山付き部を備える近位ピン２８を有する。歯科用インプラントシート協働部を、フランジ２９をインプラントシートの周囲に配置することにより、ピン２８の遠位端に配置することができ、前記フランジは、歯科用インプラントの遠位端で歯科用インプラントに対応する内側輪郭を有する。上述によれば、どの歯科用インプラントが患者の下顎骨内に挿入されるかに応じて様々なインプラント協働部２２を使用することができるように、様々なインプラントシートを有する様々なインプラントシステムが市販されている。
【００２１】
インプラント協働部２２は、その遠位端に内側把持キャビティを有し、前記キャビティは、形状がスクリュー部材の近位のスクリュー部材ヘッドに対応し、その結果、インプラント協働部２２は、スクリュー部材ヘッドがインプラント協働部２２の遠位の内側把持キャビティと係合協働するときスクリュー部材を回転させることによってインプラント協働部２２を歯科用インプラント内にねじ込むことにより、歯科用インプラントにねじで固定することができる。
【００２２】
インプラント協働部２２は、スクリューチャネル部２１と協働するための凸形相互作用表面を形成する外型凸形状を有する。この凸形相互作用表面は、スクリューチャネル部２１の近位の凹形相互作用表面と協働するように形作られ、その結果、この協働が玉継手として働き、それによりスクリューチャネル部２１を所望の位置に角度付ける／傾斜させることができる。
【００２３】
スクリュー部材ヘッド２７は、スクリューチャネル部２１がインプラント協働部２２と完璧な位置合わせで配置されたとき、すなわちスクリューチャネル部２１の中心軸がインプラント協働部の中心軸と一致するとき、インプラント協働部２２の遠位端で対応する形状を有するキャビティの底部内に挿入されるように適合される。したがって、スクリューチャネル部２１の中心軸がインプラント協働部２２の中心軸に対して角度付けられているとき、スクリュー部材ヘッド２７は、もはやインプラント協働部２２から分離させることができない。これは、たとえば半球形または球形などスクリュー部材ヘッド２７の遠位端上の傾斜した接触表面と、インプラント協働部２２のキャビティ内の対応する負の傾斜した表面とを有することによって達成することができる。このようにして、スクリュー部材ヘッド２７を遠位にねじ込み、スクリューチャネル部２１をインプラント協働部２２に固定することができる。
【００２４】
一実施形態では、図３の流れ図により、鋳造された歯科用スーパーストラクチャを作製するための方法３０が提供される。この鋳造された歯科用スーパーストラクチャは、上述によるスクリューチャネル誘導デバイスにより角度付きのディスタンスを用いて製造される。このスクリューチャネル誘導デバイスを使用し、鋳造された歯科用スーパーストラクチャ内の角度付きのスクリューチャネルを得て、それによりスクリューチャネル口の中心軸と、対象の顎にオッセオインテグレーテッド歯科用インプラントの中心軸との角度を、従来技術による曲げられたスクリューチャネルを用いた鋳造スーパーストラクチャに比べて増大することができる。したがって、スクリューチャネル誘導デバイスのスクリューチャネルは、実質的に１つの中心軸が中空のシリンダスクリューチャネルを介して延びる。
【００２５】
スクリューチャネル誘導デバイスは、上述のスクリューチャネル部およびインプラント協働部により傾斜可能である。
【００２６】
一実施形態では、スクリューチャネル部は、スクリューチャネル部が鋳造中に崩壊するように、鋳造温度で溶融可能なものであってもよい。これらの場合、スクリューチャネル部は、プラスチックまたは蝋製とすることができる。
【００２７】
歯科用インプリントを、当業者に知られている方法に従って対象から製作する（３１）。このインプリントから、当業者に知られている方法に従って、対象の歯科的状況のモデルが製造される。得られた対象の歯科的状況のモデル内に、インプラントアナログを装着する（３２）。
【００２８】
次いで、下記に従って、実験室スクリューを用いて、スクリューチャネル誘導デバイスを作業用モデル内のアナログに装着する（３３）。スクリューチャネル誘導デバイスの角度を、スクリューチャネル誘導デバイス内に含まれるインプラント協働部に対してスクリューチャネル部を傾斜させる（３４）ことによって調節する。次いで、実験室スクリューを締結し、スクリューチャネル誘導デバイスのスクリューチャネル部を所望の角度で作業用モデルに最終的に固定する（３５）。
【００２９】
これは、１８度と２５度の間など、１７度より大きい角度を達成することが可能であるために有利であり、これは、スーパーストラクチャ上にスクリューチャネル口を配置する際により大きな自由度を可能にするので望ましい。この角度付きのスクリューチャネルは、従来技術の鋳造スーパーストラクチャによる曲げられたスクリューチャネルとは対照的に、スクリューチャネルへのアクセスをも改善する。
【００３０】
ディスタンスモデルの上部で、蝋または別の溶融可能な材料からスーパーストラクチャマスターを作製する（３６）。したがって、角度付きのスクリューチャネルでスーパーストラクチャマスターが得られ、その角度は、対象の歯科的状況に対して最適に適合されている。
【００３１】
その後、図１によるスクリューチャネル誘導デバイスが使用されている場合には実験室スクリューを除去し、または図２によるスクリューチャネル誘導デバイスが使用されている場合にはインプラント協働部２２のねじ山付きピンを緩めることによって、マスタースーパーストラクチャが分解される。次いで、スクリューチャネル誘導デバイスをマスタースーパーストラクチャから静かに引き抜くことによって、マスタースーパーストラクチャをスクリューチャネル誘導デバイスから分離することができる。
【００３２】
スクリューチャネル誘導デバイスをマスタースーパーストラクチャ内に残すことも可能である。
【００３３】
他の実施形態では、加工および焼結など後続のＣＡＤ／ＣＡＭ成形のために、マスタースーパーストラクチャが、スクリューチャネル誘導デバイス１０、２０上で位置決めされているときスキャンされる。
【００３４】
次いで、マスタースーパーストラクチャが、最終的にディスタンスを鋳造するために使用されることになる材料に特有の埋込用ペーストでキュベット内に埋め込まれ、これは当業者には理解される。
【００３５】
スクリューチャネル誘導デバイスを引き抜いたとき得られたキャビティ、またはスクリューチャネル誘導デバイスのスクリューチャネルもまた、埋込用ペーストで充填される。スクリューチャネル誘導デバイスのスクリューチャネル部が、上述に従って、鋳造手順中に溶融する材料のものである場合には、後続の鋳造における溶融により、スクリューチャネル部が元に戻ることになる。
【００３６】
キュベットが、埋込用ペーストに特有の指示に従って予熱され、それにより、スクリューチャネル誘導デバイスがこの予熱中に溶融する材料製である場合、マスタースーパーストラクチャとスクリューチャネル誘導デバイスが共に溶融することになり、埋込用ペーストが硬化し、型が形成される（３７）。
【００３７】
スクリューチャネル誘導デバイスのキャビティもまた埋込用ペーストで充填されていたので、この型は、管状の角度のある幾何形状を幾何学的に反転したもの、すなわち角度付きのスクリューチャネルを有するスーパーストラクチャの所望の形状を表す。
【００３８】
次いで、角度付きのスクリューチャネルを有するスーパーストラクチャを、当業者に周知のチタンまたはコバルト／クロム合金など好ましい金属で、その材料の製造者の推奨に従って鋳造する（３８）。冷却後、鋳造された角度付きのスクリューチャネルを有するスーパーストラクチャを、好ましくは１１０μｍと２５０μｍの間のサイズを有する酸化アルミニウム粒子でブラストし、滑らかな表面を生み出すことができる。
【００３９】
任意選択で、アナログ／固定具と相互作用することが意図された金属表面を、リーマで調整することができる。他の表面を、硬質の金属カッタにより調整してもよい。
【００４０】
次いで、角度付きのスクリューチャネルを有するスーパーストラクチャは、いつでも対象に嵌合できる状態にある。スーパーストラクチャの歯を、当業者に知られている方法に従って追加してもよい。
【００４１】
図４による他の実施形態では、特大のスクリューチャネル部を有するスクリューチャネル誘導デバイスにより、角度付きのスクリューチャネルを有するスーパーストラクチャを作製するための方法４０が提供される。
【００４２】
スクリューチャネル誘導デバイスは、上述により、スクリューチャネル部およびインプラント協働部により傾斜可能である。
【００４３】
特大のスクリューチャネル部は、後で使用されるスクリューチャネル部より大きいが、その理由は、下記で明らかになる。
【００４４】
方法４０の第１のステップは、前述の方法３０と同様である。
【００４５】
歯科用インプリントを、当業者に知られている方法に従って対象から製作する（３１）。インプラントアナログをインプリント内に装着し（３２）、作業用モデルを石膏から製作する。実験室スクリューを用いて、特大のスクリューチャネル部をインプラント協働部により作業用モデルに装着する（３３）。
【００４６】
スクリューチャネル誘導デバイスの角度を、インプラント協働部に対してスクリューチャネル部を傾斜させる（３４）ことによって調節してから、実験室スクリューを締結し、傾斜可能な特大のディスタンスモデル部を所望の角度で作業用モデルに最終的に固定する（３５）。
【００４７】
任意選択で、ディスタンスモデルを蝋分離し、滑らかな表面を生み出す。
【００４８】
ディスタンスモデルの上部に、上述のようにプラスチックまたは蝋など溶融可能な材料からマスタースーパーストラクチャを製作する（３６）。
【００４９】
任意選択で、プレキャスティングを行う。
【００５０】
マスタースーパーストラクチャを（１つまたは複数の）インプラントアナログから切り離した後で、マスタースーパーストラクチャを、咬合方向で特大のスクリューチャネル部から除去する（４１）。
【００５１】
次いで、マスタースーパーストラクチャが、当業者には理解されるように、最終的にディスタンスを鋳造するために使用されることになる材料に特有の埋込用ペーストでキュベット内に埋め込まれる。
【００５２】
キュベットが、埋込用ペーストに特有の指示に従って予熱され、これにより構造溶融物（ｃｏｎｓｔｒｕｃｔ  ｍｅｌｔ）が製作され、埋込用ペーストが硬化し、型が形成される（３７）。
【００５３】
スーパーストラクチャを、型内において、当業者に周知のチタンまたはコバルト／クロム合金など好ましい金属で、その材料の製造者の推奨に従って鋳造する（３８）。鋳造された角度付きのスクリューチャネルを有するスーパーストラクチャを、好ましくは１１０μｍと２５０μｍの間のサイズを有する酸化アルミニウム粒子でブラストし、滑らかな表面を生み出すことができる。
【００５４】
任意選択で、アナログ／固定具と相互作用することが意図された金属表面を、リーマで調整することができる。他の表面を、硬質の金属カッタにより調整してもよい。
【００５５】
次いで、スクリューチャネル誘導デバイス１１、２１を、特大のスクリューチャネル部によって形成されたキャビティ内に挿入する。したがって、スクリューチャネル誘導デバイス１１、２１のサイズは、形成された／鋳造されたキャビティ内に嵌合するように適合される。次いで、スーパーストラクチャを（１つまたは複数の）実験室スクリューによって作業用モデルに締結する。
【００５６】
次いで、スクリューチャネル誘導デバイスを、マスタースーパーストラクチャに、溶接、接着、またははんだ付けなど共に固定する（４２）。これは、最初にスクリューチャネル誘導デバイスを鋳造スーパーストラクチャに咬合方向で、次いでインプラント協働部の位置で溶接／接着／はんだ付けし、したがって（１つまたは複数の）角度付きのスクリューチャネルを有するスーパーストラクチャを形成することによって行うことができる。
【００５７】
次に、どの部分も咬合方向でスーパーストラクチャの縁部から外に延びないように、スクリューチャネル誘導デバイスを、鋳造スーパーストラクチャと適合するように切断する（４３）。次いで、スーパーストラクチャは、いつでも対象に嵌合できる状態にある。スーパーストラクチャの歯を、当業者に知られている方法に従って追加してもよい。
【００５８】
スクリューチャネル部１１、２１は、モデルが先行するように設計される角度付きのディスタンスの作製中に溶融する材料製とすることができる。溶融可能な材料の例は、プラスチックまたは蝋である。
【００５９】
スクリューチャネル誘導デバイス１０、２０のスクリューチャネル部１１、２１は、代替として、チタンまたはコバルト／クロム合金など金属製であってもよい。
【００６０】
図５は、図１の実施形態とある種の類似点を有するスクリューチャネル誘導デバイスの他の実施形態を示す。また、この他の実施形態では、スクリューチャネル誘導デバイス５０が、スクリューチャネル部５１と、インプラント協働部５２とを備え、インプラント協働部５２は、−下記でより詳細に述べるように−互いに対して移動可能な下側インプラント協働部５２Ａと、上側インプラント協働部５２Ｂとを備える。
【００６１】
スクリューチャネル部５１は、遠位端にスクリューチャネル口５３を有し、近位端にスクリュー部材シート５４を有する。スクリューチャネル部５１は、スクリューチャネル口５３の中心を通り、スクリュー部材シート５４の口を通る中心軸を有する実質的に円筒形とすることができる。スクリューチャネル部５１は、その中心軸に沿って円形の断面を有することが好ましい。スクリューチャネル部５１は、その遠位端からその近位端に向かって増大する直径を有することができる。近位端では、スクリューチャネル部５１は、内側底面が凹形状を有し、その外側底面５５、すなわちその近位端が凸形状を有するようにすり鉢形である。スクリュー部材シート５４のねじ穴は、図１Ｂに示されているものと同じ特性の長孔である。
【００６２】
図６Ｂにも示されている下側インプラント協働部５２Ａ、および図６Ｃにも示されている上側インプラント協働部５２Ｂは、リングまたはカラーであり、これらは、述べるように互いに対して移動可能または回転可能であり、図１の実施形態におけるインプラント協働部１２に対応するインプラント協働部５２を共に形成する。
【００６３】
上側インプラント協働部５２Ｂは、スクリューチャネル部５１の外側近位端、すなわちその底面５５の半径に対応する半径を有する遠位の凹形スクリューチャネル部シート５６を有し、その結果、スクリューチャネル部５１を、上側インプラント協働部５２Ｂに対して傾斜させる、または角度付けることができる。また、上側インプラント協働部５２Ｂは、好ましくは凹形シート５６より小さい半径を有する近位凸形底面５７を有する。
【００６４】
下側インプラント協働部５２Ａは、上側インプラント協働部５２Ｂの近位凸形底面５７の半径に対応する半径を有する遠位の凹形上側インプラント協働部シート５８を有し、その結果、上側インプラント協働部５２Ｂを、下側インプラント協働部５２Ａに対して傾斜させる、または角度付けることができる。
【００６５】
底面５７およびシート５８は、第１の玉継手５７、５８を形成すると言ってよい。同様に、底面５５およびシート５６は、第２の玉継手５５、５６を形成すると言ってよい。
【００６６】
下側インプラント協働部５２Ａは、一般に、先細る円筒形の外側周囲表面５９を有しその上端に向かってその直径が大きくなる外部裁頭円錐形を有する。
【００６７】
歯科用インプラント６０は、概して円筒形を有することができる。歯科用インプラント６０は、その中心軸と同軸で、スクリュー部材６２用のめねじ６１を備える。また、歯科用インプラント６０は、その中心軸と同軸で、下側インプラント協働部５２Ａを収容するためのキャビティ６３を備える。キャビティ６３は、その口に向かって、下側インプラント協働部５２Ａの周囲表面５９のテーパに対応するテーパを有する先細り部分６４を有する。この先細り部分６４は、下側インプラント協働部５２Ａが歯科用インプラントキャビティ６３内に挿入されたとき歯科用インプラント６０の上端と面一になるように、下側インプラント協働部５２Ａの最大直径と同じ直径をその口部に有することが好ましい。
【００６８】
装着するためには、下側インプラント協働部５２Ａは、最初に、その先細り周囲表面５９が歯科用インプラントキャビティ６３の先細り部分６４と接触して歯科用インプラント６０のキャビティ６３内に配置されることが好ましい。次いで、上側インプラント協働部５２Ｂが、その近位凹形底面５７を下側インプラント協働部５２Ａの凹形シート５８内に入れて配置される。最後に、スクリューチャネル部５１が、その凸形の外側底面５５で上側インプラント協働部５２Ｂの凹形シート５６内に配置される。
【００６９】
スクリューチャネル部５１は、そのスクリュー部材シート５４内に長孔を有し、一方、上側インプラント協働部５２Ｂおよび下側インプラント協働部５２Ａは、スクリュー部材６２−スクリューチャネル部５１を通って挿入される−が通って歯科用インプラント６０のめねじ６１内に延びるための中央通り穴を有する。
【００７０】
スクリュー部材６２は、その軸方向自由端に工具グリップ６６を有するスクリュー部材ヘッド６５を有する。スクリュー部材ヘッド６５の下側は、スクリューチャネル部５１内のスクリュー部材シート５４の凹形状に一致する凸形状を有する。
【００７１】
歯科用インプラント６０に対してスクリューチャネル部５１のための所望の位置を達成するのに適切な位置に様々な部材が移動されたとき、スクリューチャネル部内に挿入されスクリュー部材ヘッド６５の工具グリップと協働する適切な工具６７により、スクリュー部材６２を歯科用インプラント６０内のそのめねじ６１内に締め付けることができる。
【００７２】
分割されたインプラント協働部５２Ａ、Ｂは、歯科用インプラント６０に対してスクリューチャネル部５１を位置決めするために改善された自由度をもたらす。スクリューチャネル部５１を傾斜させる、または角度付けるだけでなく、上側インプラント協働部５２Ｂを下側インプラント協働部５２Ａに対して傾斜させることにより、スクリューチャネル部５１をある程度横に移すことが可能になる。この構造は、歯科用インプラントに締結されるスーパーストラクチャにおいて可能な許容差を増大する。
【００７３】
好ましい実施形態では、上側インプラント協働部５２Ｂの底面５７および下側インプラント協働部５２Ａのシート５８の半径は、上側インプラント協働部５２Ｂのシート５６およびスクリューチャネル部５１の底面５５の半径より小さい。これは、より大きな多用性のために、それらのそれぞれの回転中心間の距離が増大されることを意味する。
スクリューチャネルは、咬合面上に、または切歯領域の裏に隠して配置することができる。スーパーストラクチャが鋳造される場合、精度は必ずしも完璧ではない。図５に示されている構造は、スクリュー部材のサイズに応じて最大５度の偏向に対処することができる。
【００７４】
本発明について、特定の実施形態を参照して上述したが、本明細書に記載の特定の形態に限定されることは意図していない。それどころか、本発明は、添付の特許請求の範囲によってのみ限定され、上記の特定のもの以外の実施形態もまた、これらの添付の特許請求の範囲内で同様に可能である。
【００７５】
特許請求の範囲では、「ｃｏｍｐｒｉｓｅｓ／ｃｏｍｐｒｉｓｉｎｇ（備える、含む）」という用語は、他の要素またはステップの存在を排除しない。さらに、個々に列挙されているとしても、複数の手段、要素、または方法ステップは、たとえば単一のユニットまたはプロセッサによって実施されてもよい。さらに、個々の特徴が異なる特許請求の範囲に含まれていることがあるが、これらは有利に組み合わせることが可能であり、異なる特許請求の範囲に含まれることは、特徴の組合せが実現可能でない、および／または有利でないことを暗示してはいない。さらに、単数形の指示対象は複数を排除しない。「ａ」「ａｎ」「第１」「第２」などの用語は、複数を排除しない。特許請求の範囲内の符号は、わかりやすくする例として与えられているにすぎず、決して特許請求の範囲を限定するものと解釈されないものとする。
【図１Ａ】
2014014681.tif 000003
【図１Ｂ】
2014014681.tif 000004
【図１Ｃ】
2014014681.tif 000005
【図２Ａ】
2014014681.tif 000006
【図２Ｂ】
2014014681.tif 000007
【図３】
2014014681.tif 000008
【図４】
2014014681.tif 000009
【図５】
2014014681.tif 000010
【図６Ａ】
2014014681.tif 000011
【図６Ｂ】
2014014681.tif 000012
【図６Ｃ】
2014014681.tif 000013
【外国語明細書】
2014014681000001.pdf